(57)【要約】【課題】コストを上げずに風量と風圧を増加させて放熱効果を高め、且つ万一破損した場合にも交換が容易な組み合わせ式風向案内ファンを提供する。【解決手段】第一及び第二風向案内ファン２１，２２より構成し、該第一風向案内ファン２１には放熱翼２１１と風向案内部２１２とを具有し、該風向案内部２１２は該第一風向案内ファン２１の空気排出口側２１３に設け、また該第二風向案内ファン２２には放熱翼２２１と風向案内部２２２とを設け、該風向案内部２２２は該第二風向案内ファン２２の空気進入口側２２３に設け、該第一風向案内ファン２１の空気排出口２１３を第二風向案内ファン２２の空気進入口２２３に設置し、各該風向案内部２１２，２２２を相互に密着させて接合することにより風向案内ルート２３を形成し、風圧及び気流の量を増加させ、且つ該第一及び第二風向案内ファン２１，２２を一組のファンとして設けるが、必要によってはこれらを複数組設ける。【選択図】        図４
2005273525.tif 000002
【特許請求の範囲】
【請求項１】
第一風向案内ファン及び第二風向案内ファンより構成される組み合わせ式風向案内ファンにおいて、
複数の導翼より構成される風向案内部と放熱翼とを具有し、且つ該風向案内部が該第一風向案内ファンの空気排出口側に設けられる該第一風向案内ファンと、
複数の導翼より構成される風向案内部と放熱翼とを具有し、且つ該風向案内部が該第二風向案内ファンの空気進入口側に設置される第二風向案内ファンと、
を具有し、
該第一風向案内ファンの空気排出口は該第二風向案内ファンの空気進入口に設置され、各該風向案内部上の楼翼が相互に密着して接合されていることにより、風向案内ルートが形成されることで風圧及び空気の量を増加させることを特徴とする組み合わせ式風向案内ファン。
【請求項２】
該第一風向案内ファン及び第二風向案内ファンは相互に組み合わせられ、且つこれらを多数組設ける際には直列状態に連結されることを特徴とする請求項１記載の組み合わせ式風向案内ファン。
【請求項３】
第一風向案内ファン及び第二風向案内ファンより構成される組み合わせ式風向案内ファンにおいて、
複数の導翼より構成される風向案内部と放熱翼とを具有し、且つ該風向案内部が該第一風向案内ファンの空気排出口側且つ該風向案内ファンより突出して設けられる該第一風向案内ファンと、
複数の導翼より構成される風向案内部と放熱翼とを具有し、且つ該風向案内部が該第二風向案内ファンの空気進入口側且つ該風向案内ファンより突出して設けられる第二風向案内ファンと、
を具有し、
該第一風向案内ファンの空気排出口は該第二風向案内ファンの空気進入口に設置され、また各該導翼は順に交錯して配列した状態でもう一つの風向案内ファンに入り込み、各該導翼が該第一風向案内ファンと第二風向案内ファンとの間に風向案内ルートを形成し、風圧及び空気の量を増加させることを特徴とする組み合わせ式風向案内ファン。
【請求項４】
該第一風向案内ファン及び第二風向案内ファンは相互に組み合わせられ、且つこれらを多数組設ける際には直列状態に連結されることを特徴とする請求項３記載の組み合わせ式風向案内ファン。
【発明の詳細な説明】
【技術分野】
【０００１】
本発明は組み合わせ式風向案内ファンに係り、特に第一及び風向案内ファンより構成され、風向案内部が該第一風向案内ファンの空気排出口側に設けられ、もう一つの風向案内部が該第二風向案内ファンの空気進入口設けられており、且つ該第一及び第二風向案内ファンの風向案内部が相互に密接に接合されていることで風向案内ルートが形成されて、大きな風圧及び気流の量を提供する組み合わせ式風向案内ファンに関わる。
【特許文献１】台湾特許  第490131号公報
【背景技術】
【０００２】
電子部品の小型化が進み、演算速度が加速する現在、伴って生ずる問題として電子部品における放熱が挙げられるが、こういった問題に対しては、現在では主にファンによって解決している。
図１から図３に示すように、特に風向案内機能を具有するファンにおいては、第一風向案内ファン１１及び第二風向案内ファン１２を具有し、該第一風向案内ファン１１には放熱翼１１１及び風向案内部１１２を具有し、該風向案内部１１２は第一風向案内ファン１１の空気排出口１１３側に設けられ、該第二風向案内ファン１２には放熱翼１２１及び風向案内部１２２が設けられており、該風向案内部１２２は複数の導翼１２２aより構成され、且つ該風向案内ファン１２２は該第二風向案内ファン１２の空気進入口１２３側に設けられており、また該第一風向案内ファン１１の空気排出口１１３は該第二風向案内ファン１２の空気進入口１２３に取り付けられる。
しかしこのような風向案内構造を具有するファンにおいては、該導翼１１２a，１２２aは相互に交錯した状態に設置されることから空気の流れが乱れやすく、全体として送り出す風圧及び風量が低く、理想的な放熱効果が提供できていない。そこで台湾特許公告第490131号の「複層式ファン翼を具有する放熱機の構造」が開発されており、該放熱機の具体的構造には外殻を具有し、該外殻中には収容槽を具有し、該収容槽中には底部が設けられており、該外殻中には複数の層状を成した翼が設けられ、該翼には複数の静翼部と動翼部とに分けられており、該複数の動翼部により大量の気流を引き起こして放熱効果を高める構造を設けている。
【発明の開示】
【発明が解決しようとする課題】
【０００３】
しかし上述のような複層式ファン翼を具有する放熱機の構造においても、以下のような欠点を具有する。それは該複数の動翼組中の何れかが破損した場合において、放熱機全体を交換しなければならず、つまり全体を交換しなければ放熱効果が提供されないため、交換してしまうまでコンピュータなどにおける放熱を必要とする電子部品を使用し続ける場合には、放熱効果が全く提供されず、電子部品の機能に影響が出ることが予想され、また交換するために係る費用も少なくないことである。
そこで上述の欠点に鑑み、コストを上げずに風量と風圧を増加させて放熱効果を高め、且つ万一破損した場合にも交換を容易なものとすべく、本発明の組み合わせ式風向案内ファンを提供する。
【課題を解決するための手段】
【０００４】
第一及び第二風向案内ファンより構成し、該第一風向案内ファンには放熱翼と風向案内部とを具有し、該風向案内部は該第一風向案内ファンの空気排出口側に設け、また該第二風向案内ファンには放熱翼と風向案内部とを設け、該風向案内部は該第二風向案内ファンの空気進入口側に設け、該第一風向案内ファンの空気排出口を第二風向案内ファンの空気進入口に設置し、該第一及び第二風向案内ファンの両風向案内部を相互に密着させて接合することにより風向案内ルートを形成し、風圧及び気流の量を増加させ、且つ該第一及び第二風向案内ファンを一組のファンとして設けるが、必要によってはこれらを複数組設けることで放熱効果を更に高める。
【発明の効果】
【０００５】
本発明によると、風圧及び空気の量を効果的に増加させることに成功したと同時に、万一破損した場合にも速やか且つ容易、また最も費用をかけずに交換する構造を提供するのに成功した。
【発明を実施するための最良の形態】
【０００６】
図４から図７に示すように、本発明の組み合わせ式風向案内ファンには、第一風向案内ファン２１及び第二風向案内ファン２２とを含み、該第一風向案内ファン２１には放熱翼２１１及び風向案内部２１２を含み、該風向案内部２１２は複数の導翼２１２aより構成され、且つ該風向案内部２１２は第一風向案内ファン２１の空気排出口２１３側に設けられる。該第二風向案内ファン２２には放熱翼２２１及び風向案内部２２２が設けられ、該風向案内部２２２は複数の導翼２２２aより構成され、且つ該風向案内部２２２には第二風向案内ファン２２の空気進入口２２３側に設けられる。
【０００７】
該第一風向案内ファン２１の空気排出口２１３には第二風向案内ファン２２の空気進入口２３２３に設けられ、該第一風向案内ファン２１の風向案内部２１２と第二風向案内ファン２２の風向案内部２２２上の導翼２１２a及び導翼２２２aとが相互に密接に接合され、風向案内ルート２３を形成する。該風向案内ルート２３では該第一風向案内ファン２１により生ずる空気の流れが集中し、該第二風向案内ファン２２中央に吹き付けられる、或いは放熱の必要に応じて該空気の流れを該第二風向案内ファン２２の放熱翼２２１の外側に吹き付けるものとする。該第一風向案内ファン２１の放熱翼２１１が通電して回転する際、該空気の流れにより該第二風向案内ファン２２に風圧を与え、且つ該第一風向案内ファン２１で生ずる空気の流れが該第一風向案内ファン２１の風向案内部２１２及び第二風向案内ファン２２の風向案内部２２２上の導翼２１２a，２２２aにて形成される風向案内ルート２３を通過し、空気の流れを集中させると同時に風圧を増加して該第二風向案内ファン２２を吹き付ける。該第一風向案内ファン２１の風圧増加と該風向案内ルート２３の風向集中及び増圧を経てからは、更に該第二風向案内ファン２２の放熱翼２２１による吹き付けを経、本発明の組み合わせ式風向案内ファン全体が送り出す空気の流れによる風圧と気流量が増加される。
【０００８】
また該第一風向案内ファン２１と第二風向案内ファン２２を組み合わせることにより、該ファン２１，２２のうちの一方が万一破損した場合にも、直ちに交換することで再度使用することができ、公知の構造のように破損を受けた場合に構造全体を取り替えなければならないといった欠点を克服する。
更に、本発明では電子部品に対する放熱効果の増加及び速やかな放熱効果を提供するべく、該第一，第二風向案内ファン２１，２２は相互に接続されるものであるが、これらを複数直列させる方式で組み合わせれば、放熱させようとする電子部品に対して吹き付ける空気の流量と風圧を増加させ、放熱効果を更に上げることもできる。
【０００９】
図８から図１０に示すように、本発明における第二実施例では、第一風向案内ファン３１と第二風向案内ファン３２とより構成される。該第一風向案内ファン３１においては放熱翼３１１及び風向案内部３１２が設けられており、該風向案内部３１２は複数の導翼３１２aより構成され、且つ該風向案内部３１２は第一風向案内ファン３１の空気排出口３１３側に設けられ、且つ該第一風向案内ファン３１より突出した形で設けられる。該第二風向案内ファン３２には複数の放熱翼３２１及び風向案内部３２２が設けられ、且つ該風向案内部３２２は複数の導翼３２２aより構成される。該風向案内部３２２は該第二風向案内ファン３２の空気進入口３２３側に設けられ、該第二風向案内ファン３２より突起した形で設けられる。また該放熱翼３１２a，３２２aは交錯して配列されているものとする。
【００１０】
該第一風向案内ファン３１の空気排出口３１３は該第二風向案内ファン３２の空気進入口３２３に設けられ、該同翼３１２a，３２２aは順に交錯して配列されており、且つ該放熱翼３１２a，３２２aは該第一風向案内ファン３１及び第二風向案内ファン３２より突出しているため、組み立て時には該放熱翼３１２aを該第二風向案内ファン３２から突出した形で設置し、該放熱翼３２２aが該第一風向案内ファン３１に進入し、該導翼３１２a，３２２aは該第一，第二風向案内ファン３１，３２間にて風向案内ルート３３を形成する。よって、本実施例の組み立てが完成すると、上述の第一実施例の全体が送り出すのと同様の風量及び風圧を提供することができ、上述同様に該ファン３１，３２の内の一つが万一破損した場合でも、該破損した一方を交換することで直ちに使用できるようになる。
【図面の簡単な説明】
【００１１】
【図１】公知構造における立体分解図である。
【図２】公知構造における組み立て後の立体図である。
【図３】図２におけるA-Aによる断面図である。
【図４】本発明における第一実施例の立体分解図である。
【図５】本発明における第一実施例の組み立て後における立体図である。
【図６】図５におけるB-Bによる断面図である。
【図７】本発明におえる第一実施例の組み立て後の断面図である。
【図８】本発明における第二実施例の立体分解図である。
【図９】本発明における第二実施例の組み立て後の立体図である。
【図１０】図９におけるC-Cによる断面図である。
【符号の説明】
【００１２】
１１  第一風向案内ファン
１１１  放熱翼
１１２  風向案内部
１１２a  導翼
１１３  空気排出口
１２  第二風向案内ファン
１２１  放熱翼
１２２  風向案内部
１２２ａ  導翼
１２３  空気進入口
２１  第一風向案内ファン
２１１  放熱翼
２１２  風向案内部
２１２ａ  導翼
２１３  空気排出口
２２  第二風向案内ファン
２２１  放熱翼
２２２  風向案内部
２２２ａ  導翼
２２３  空気進入口
２３  風向案内ルート
３１  第一風向案内ファン
３１１  放熱翼
３１２  風向案内部
３１２a  導翼
３１３  空気排出口
３２  第二風向案内ファン
３２１  放熱翼
３２２  風向案内部
３２２a  導翼
３２３  空気進入口
３３  風向案内ルート
【図１】
2005273525.tif 000003
【図２】
2005273525.tif 000004
【図３】
2005273525.tif 000005
【図４】
2005273525.tif 000006
【図５】
2005273525.tif 000007
【図６】
2005273525.tif 000008
【図７】
2005273525.tif 000009
【図８】
2005273525.tif 000010
【図９】
2005273525.tif 000011
【図１０】
2005273525.tif 000012